【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  ユーザにより単語データの登録が可能なユーザ辞書と、
単語データを受信する単語データ受信手段と、
前記単語データ受信手段により受信された前記単語データのうち前記ユーザ辞書に登録されていない単語データの少なくとも一部を前記ユーザ辞書に追加して登録する登録手段を
備える単語登録装置。
【請求項２】  前記単語データ受信手段が、インターネット網を介して前記単語データを受信する
ことを特徴とする請求項１に記載の単語登録装置。
【請求項３】  前記単語データ受信手段が、放送により供給される単語データを受信する
ことを特徴とする請求項１に記載の単語登録装置。
【請求項４】  前記ユーザの置かれている状況を示す環境イベントを設定する環境イベント設定手段をさらに備え、前記単語データ受信手段が、前記環境イベント設定手段に設定された環境イベントに基づき選択された単語データを受信する
ことを特徴とする請求項１ないし３のいずれか１項に記載の単語登録装置。
【請求項５】  前記ユーザの置かれている状況を示す環境イベントを設定する環境イベント設定手段をさらに備え、
前記登録手段が、前記単語データ受信手段により受信された前記単語データのうち、前記環境イベント設定手段に設定された環境イベントに基づき選択された単語データの少なくとも一部を前記ユーザ辞書に追加して登録する
ことを特徴とする請求項１ないし３のいずれか１項に記載の単語登録装置。
【請求項６】  前記環境イベント設定手段が、ラジオ、テレビおよびＶＴＲからなる群より選ばれた機器から供給される情報に基づいて前記環境イベントを設定するものである
ことを特徴とする請求項４または５に記載の単語登録装置。
【請求項７】  前記環境イベント設定手段が、ラジオ、テレビおよびＶＴＲからなる群より選ばれた機器を操作する操作機器から供給される制御信号および前記制御信号によって制御される前記選ばれた機器が受信すべき情報を受けて、前記制御信号によって制御される前記選ばれた機器が受信すべき前記情報に基づいて前記環境イベントを設定するものである
ことを特徴とする請求項４または５に記載の単語登録装置。
【請求項８】  前記情報が、少なくともＵＲＬを含み、前記単語データ受信手段が、前記ＵＲＬに基づき接続されたサーバより前記単語データを受信するものである
ことを特徴とする請求項６または７に記載の単語登録装置。
【請求項９】  前記ユーザの個人情報を示すユーザ情報を設定するユーザ情報設定手段をさらに備え、
前記単語データ受信手段が、前記ユーザ情報設定手段に設定されたユーザ情報に基づき選択された単語データを受信する
ことを特徴とする請求項１ないし８のいずれか１項に記載の単語登録装置。
【請求項１０】  前記ユーザの個人情報を示すユーザ情報を設定するユーザ情報設定手段をさらに備え、
前記登録手段が、前記単語データ受信手段により受信された前記単語データのうち、前記ユーザ情報設定手段に設定されたユーザ情報に基づき選択された単語データの少なくとも一部を前記ユーザ辞書に追加して登録する
ことを特徴とする請求項１ないし８のいずれか１項に記載の単語登録装置。
【請求項１１】  システム構成に関するシステム情報を設定するシステム情報設定手段をさらに備え、
前記単語データ受信手段が、前記システム情報設定手段に設定されたシステム情報に基づき選択された単語データを受信する
ことを特徴とする請求項１ないし１０のいずれか１項に記載の単語登録装置。
【請求項１２】  システム構成に関するシステム情報を設定するシステム情報設定手段をさらに備え、
前記登録手段が、前記単語データ受信手段により受信された前記単語データのうち、前記システム情報設定手段に設定されたシステム情報に基づき選択された単語データの少なくとも一部を前記ユーザ辞書に追加して登録する
ことを特徴とする請求項１ないし１０のいずれか１項に記載の単語登録装置。
【請求項１３】  前記単語データが、変換前文字とこれに対応する変換後文字との組み合わせにより構成される
ことを特徴とする請求項１ないし１２のいずれか１項に記載の単語登録装置。
【請求項１４】  前記変換前文字が仮名文字であり、前記変換後文字が漢字を含む文字である
ことを特徴とする請求項１３に記載の単語登録装置。
【請求項１５】  前記変換前文字と前記変換後文字が異なる言語である
ことを特徴とする請求項１３に記載の単語登録装置。
【請求項１６】  前記変換後文字が単語であり、前記変換前文字が前記単語の一部である
ことを特徴とする請求項１３に記載の単語登録装置。
【請求項１７】  前記単語データが、さらにスコアとの組み合わせにより構成される
ことを特徴とする請求項１３ないし１６のいずれか１項に記載の単語登録装置。
【請求項１８】  あらかじめ複数の単語データが登録されている標準辞書をさらに備える
ことを特徴とする請求項１ないし１７のいずれか１項に記載の単語登録装置。
【請求項１９】  前記ユーザ辞書および前記標準辞書が、ともに書き換え可能な記憶媒体に格納されている
ことを特徴とする請求項１８に記載の単語登録装置。
【請求項２０】  前記記憶媒体が不揮発性記憶媒体により構成される
ことを特徴とする請求項１９に記載の単語登録装置。
【請求項２１】  前記不揮発性記憶媒体がハードディスク装置により構成される
ことを特徴とする請求項２０に記載の単語登録装置。
【請求項２２】  前記不揮発性記憶媒体がフラッシュメモリにより構成される
ことを特徴とする請求項２０に記載の単語登録装置。
【請求項２３】  前記ユーザが前記変換前文字を入力するための入力手段と、
前記入力手段により入力された前記変換前文字を、前記単語データを参照してこれに対応する前記変換後文字に変換する変換手段と
をさらに備えることを特徴とする請求項１３ないし２２のいずれか１項に記載の単語登録装置。
【請求項２４】  前記入力手段により入力された前記変換前文字および前記変換手段により変換された前記変換後文字を表示する表示手段を
さらに備えることを特徴とする請求項２３に記載の単語登録装置。
【請求項２５】  前記変換手段は、前記入力手段により入力された前記変換前文字に対応する前記変換後文字が前記ユーザ辞書および前記標準辞書に複数登録されている場合に、変換後文字候補の優先順位を決定する順位決定手段をさらに備える
ことを特徴とする請求項１８ないし２４のいずれか１項に記載の単語登録装置。
【請求項２６】  前記順位決定手段が、前記スコアに基づいて前記変換候補の優先順位を決定する
ことを特徴とする請求項２５に記載の単語登録装置。
【請求項２７】  前記変換手段が、前記入力手段により入力された前記変換前文字に対応する前記変換後文字が前記ユーザ辞書および前記標準辞書に複数登録されている場合に、変換候補の中から前記ユーザが選択した変換後文字を有する単語データの前記スコアを加算する
ことを特徴とする請求項２６に記載の単語登録装置。
【請求項２８】  前記変換手段が、前記入力手段により入力された前記変換前文字に対応する前記変換後文字が前記ユーザ辞書および前記標準辞書に複数登録されている場合に、変換候補の中から前記ユーザが選択しなかった変換後文字を有する単語データの前記スコアを減算する
ことを特徴とする請求項２６または２７に記載の単語登録装置。
【請求項２９】  前記変換手段が、前記ユーザ辞書に登録された単語データのうち、前記スコアが所定値以下である単語データの少なくとも一部を前記ユーザ辞書から削除する
ことを特徴とする請求項２６ないし２８のいずれか１項に記載の単語登録装置。
【請求項３０】  前記登録手段が、前記単語データ受信手段により受信された前記単語データのうち前記ユーザ辞書および前記標準辞書のいずれにも登録されていない単語データの少なくとも一部を前記ユーザ辞書に追加して登録する
ことを特徴とする請求項１８ないし２８のいずれか１項に記載の単語登録装置。
【請求項３１】  それぞれ変換前文字とこれに対応する変換後文字との組み合わせにより構成される複数の単語データを含む辞書と、
前記辞書に含まれる単語データの少なくとも一部を送信する単語データ送信手段と
を備える単語送信装置。
【請求項３２】  前記単語データ送信手段が、インターネット網を介して前記単語データを送信する
ことを特徴とする請求項３１に記載の単語送信装置。
【請求項３３】  前記単語データ送信手段が、放送により前記単語データを送信する
ことを特徴とする請求項３１に記載の単語送信装置。
【請求項３４】  ユーザの置かれている状況を示す環境イベントを受け、前記単語データ送信手段が、前記辞書に含まれる単語データのうち、前記環境イベントに基づき選択された単語データを、前記ユーザに送信する
ことを特徴とする請求項３１または３２に記載の単語送信装置。
【請求項３５】  ユーザの個人情報を示すユーザ情報を受け、前記単語データ送信手段が、前記辞書に含まれる単語データのうち、前記ユーザ情報に基づき選択された単語データを、前記ユーザに送信する
ことを特徴とする請求項３１、３２および３４のいずれか１項に記載の単語送信装置。
【請求項３６】  ユーザ側システムのシステム構成に関するシステム情報を受け、前記単語データ送信手段が、前記辞書に含まれる単語データのうち、前記システム情報に基づき選択された単語データを、前記ユーザに送信する
ことを特徴とする請求項３１、３２、３４および３５のいずれか１項に記載の単語送信装置。
【請求項３７】  ユーザによるアクセスを認証する認証手段をさらに備え、
前記単語データ送信手段が、前記ユーザによるアクセスが認証されると、前記辞書に含まれる単語データのうち、前回のアクセスから現在のアクセスまでの間に更新された単語データの少なくとも一部を前記ユーザに送信する
ことを特徴とする請求項３１、３２、３４ないし３６のいずれか１項に記載の単語送信装置。
【請求項３８】  ユーザにより単語データの登録が可能なユーザ辞書と、
単語データを送信する単語データ送信手段と、
前記単語データ送信手段より送信された単語データを受信する単語データ受信手段と、前記単語データ受信手段により受信された前記単語データのうち前記ユーザ辞書に登録されていない単語データの少なくとも一部を前記ユーザ辞書に追加して登録する登録手段と
を備える単語登録システム。
【請求項３９】  受信側システムから送信側システムに対して単語データの送信を要求するステップと、
前記要求に応答して前記送信側システムに蓄積されている単語データの少なくとも一部を前記受信側システムに送信するステップと、
前記送信側システムより送信された前記単語データの少なくとも一部を前記受信側システムに備えられた辞書に登録するステップと
を有する単語登録方法。
【請求項４０】  放送側システムに蓄積されている単語データの少なくとも一部を受信側システムに対して放送するステップと、
前記放送側システムより放送された前記単語データの少なくとも一部を前記受信側システムにて受信するステップと、
前記受信した単語データをフィルタリングするステップと、
前記フィルタリングされた単語データの少なくとも一部を前記受信側システムに備えられた辞書に登録するステップと
を有する単語登録方法。
【手続補正２】
【補正対象書類名】明細書
【補正対象項目名】００１２
【補正方法】変更
【補正の内容】
【００１２】
【課題を解決するための手段】
本発明の一側面の単語登録装置は、ユーザにより単語データの登録が可能なユーザ辞書と、単語データを受信する単語データ受信手段と、前記単語データ受信手段により受信された前記単語データのうち前記ユーザ辞書に登録されていない単語データの少なくとも一部を前記ユーザ辞書に追加して登録する登録手段を備える。
【手続補正３】
【補正対象書類名】明細書
【補正対象項目名】００１３
【補正方法】変更
【補正の内容】
【００１３】
前記単語データ受信手段が、インターネット網を介して前記単語データを受信するようにすることができる。
【手続補正４】
【補正対象書類名】明細書
【補正対象項目名】００１４
【補正方法】変更
【補正の内容】
【００１４】
前記単語データ受信手段が、放送により供給される単語データを受信するようにすることができる。
【手続補正５】
【補正対象書類名】明細書
【補正対象項目名】００１５
【補正方法】変更
【補正の内容】
【００１５】
前記ユーザの置かれている状況を示す環境イベントを設定する環境イベント設定手段をさらに備え、前記単語データ受信手段が、前記環境イベント設定手段に設定された環境イベントに基づき選択された単語データを受信するようにすることができる。
【手続補正６】
【補正対象書類名】明細書
【補正対象項目名】００１６
【補正方法】変更
【補正の内容】
【００１６】
前記ユーザの置かれている状況を示す環境イベントを設定する環境イベント設定手段をさらに備え、前記登録手段が、前記単語データ受信手段により受信された前記単語データのうち、前記環境イベント設定手段に設定された環境イベントに基づき選択された単語データの少なくとも一部を前記ユーザ辞書に追加して登録するようにすることができる。
【手続補正７】
【補正対象書類名】明細書
【補正対象項目名】００１７
【補正方法】変更
【補正の内容】
【００１７】
前記環境イベント設定手段が、ラジオ、テレビおよびＶＴＲからなる群より選ばれた機器から供給される情報に基づいて前記環境イベントを設定するものであるようにすることができる。
【手続補正８】
【補正対象書類名】明細書
【補正対象項目名】００１８
【補正方法】変更
【補正の内容】
【００１８】
前記環境イベント設定手段が、ラジオ、テレビおよびＶＴＲからなる群より選ばれた機器を操作する操作機器から供給される制御信号および前記制御信号によって制御される前記選ばれた機器が受信すべき情報を受けて、前記制御信号によって制御される前記選ばれた機器が受信すべき前記情報に基づいて前記環境イベントを設定するものであるようにすることができる。
【手続補正９】
【補正対象書類名】明細書
【補正対象項目名】００１９
【補正方法】変更
【補正の内容】
【００１９】
前記情報が、少なくともＵＲＬを含み、前記単語データ受信手段が、前記ＵＲＬに基づき接続されたサーバより前記単語データを受信するものであるようにすることができる。
【手続補正１０】
【補正対象書類名】明細書
【補正対象項目名】００２０
【補正方法】変更
【補正の内容】
【００２０】
前記ユーザの個人情報を示すユーザ情報を設定するユーザ情報設定手段をさらに備え、前記単語データ受信手段が、前記ユーザ情報設定手段に設定されたユーザ情報に基づき選択された単語データを受信するようにすることができる。
【手続補正１１】
【補正対象書類名】明細書
【補正対象項目名】００２１
【補正方法】変更
【補正の内容】
【００２１】
前記ユーザの個人情報を示すユーザ情報を設定するユーザ情報設定手段をさらに備え、前記登録手段が、前記単語データ受信手段により受信された前記単語データのうち、前記ユーザ情報設定手段に設定されたユーザ情報に基づき選択された単語データの少なくとも一部を前記ユーザ辞書に追加して登録するようにすることができる。
【手続補正１２】
【補正対象書類名】明細書
【補正対象項目名】００２２
【補正方法】変更
【補正の内容】
【００２２】
システム構成に関するシステム情報を設定するシステム情報設定手段をさらに備え、前記単語データ受信手段が、前記システム情報設定手段に設定されたシステム情報に基づき選択された単語データを受信するようにすることができる。
【手続補正１３】
【補正対象書類名】明細書
【補正対象項目名】００２３
【補正方法】変更
【補正の内容】
【００２３】
システム構成に関するシステム情報を設定するシステム情報設定手段をさらに備え、前記登録手段が、前記単語データ受信手段により受信された前記単語データのうち、前記システム情報設定手段に設定されたシステム情報に基づき選択された単語データの少なくとも一部を前記ユーザ辞書に追加して登録するようにすることができる。
【手続補正１４】
【補正対象書類名】明細書
【補正対象項目名】００２４
【補正方法】変更
【補正の内容】
【００２４】
前記単語データが、変換前文字とこれに対応する変換後文字との組み合わせにより構成されるようにすることができる。
【手続補正１５】
【補正対象書類名】明細書
【補正対象項目名】００２５
【補正方法】変更
【補正の内容】
【００２５】
前記変換前文字が仮名文字であり、前記変換後文字が漢字を含む文字であるようにすることができる。
【手続補正１６】
【補正対象書類名】明細書
【補正対象項目名】００２６
【補正方法】変更
【補正の内容】
【００２６】
前記変換前文字と前記変換後文字が異なる言語であるようにすることができる。
【手続補正１７】
【補正対象書類名】明細書
【補正対象項目名】００２７
【補正方法】変更
【補正の内容】
【００２７】
前記変換後文字が単語であり、前記変換前文字が前記単語の一部であるようにすることができる。
【手続補正１８】
【補正対象書類名】明細書
【補正対象項目名】００２８
【補正方法】変更
【補正の内容】
【００２８】
前記単語データが、さらにスコアとの組み合わせにより構成されるようにすることができる。
【手続補正１９】
【補正対象書類名】明細書
【補正対象項目名】００２９
【補正方法】変更
【補正の内容】
【００２９】
あらかじめ複数の単語データが登録されている標準辞書をさらに備えるようにすることができる。
【手続補正２０】
【補正対象書類名】明細書
【補正対象項目名】００３０
【補正方法】変更
【補正の内容】
【００３０】
前記ユーザ辞書および前記標準辞書が、ともに書き換え可能な記憶媒体に格納されているようにすることができる。
【手続補正２１】
【補正対象書類名】明細書
【補正対象項目名】００３１
【補正方法】変更
【補正の内容】
【００３１】
前記記憶媒体が不揮発性記憶媒体により構成されるようにすることができる。
前記不揮発性記憶媒体がハードディスク装置により構成されるようにすることができる。
【手続補正２２】
【補正対象書類名】明細書
【補正対象項目名】００３２
【補正方法】変更
【補正の内容】
【００３２】
前記不揮発性記憶媒体がフラッシュメモリにより構成されるようにすることができる。
【手続補正２３】
【補正対象書類名】明細書
【補正対象項目名】００３３
【補正方法】変更
【補正の内容】
【００３３】
前記ユーザが前記変換前文字を入力するための入力手段と、前記入力手段により入力された前記変換前文字を、前記単語データを参照してこれに対応する前記変換後文字に変換する変換手段とをさらに備えるようにすることができる。
【手続補正２４】
【補正対象書類名】明細書
【補正対象項目名】００３４
【補正方法】変更
【補正の内容】
【００３４】
前記入力手段により入力された前記変換前文字および前記変換手段により変換された前記変換後文字を表示する表示手段をさらに備えるようにすることができる。
【手続補正２５】
【補正対象書類名】明細書
【補正対象項目名】００３５
【補正方法】変更
【補正の内容】
【００３５】
前記変換手段は、前記入力手段により入力された前記変換前文字に対応する前記変換後文字が前記ユーザ辞書および前記標準辞書に複数登録されている場合に、変換後文字候補の優先順位を決定する順位決定手段をさらに備えるようにすることができる。
【手続補正２６】
【補正対象書類名】明細書
【補正対象項目名】００３６
【補正方法】変更
【補正の内容】
【００３６】
前記順位決定手段が、前記スコアに基づいて前記変換候補の優先順位を決定するようにすることができる。
【手続補正２７】
【補正対象書類名】明細書
【補正対象項目名】００３７
【補正方法】変更
【補正の内容】
【００３７】
前記変換手段が、前記入力手段により入力された前記変換前文字に対応する前記変換後文字が前記ユーザ辞書および前記標準辞書に複数登録されている場合に、変換候補の中から前記ユーザが選択した変換後文字を有する単語データの前記スコアを加算するようにすることができる。
【手続補正２８】
【補正対象書類名】明細書
【補正対象項目名】００３８
【補正方法】変更
【補正の内容】
【００３８】
前記変換手段が、前記入力手段により入力された前記変換前文字に対応する前記変換後文字が前記ユーザ辞書および前記標準辞書に複数登録されている場合に、変換候補の中から前記ユーザが選択しなかった変換後文字を有する単語データの前記スコアを減算するようにすることができる。
【手続補正２９】
【補正対象書類名】明細書
【補正対象項目名】００３９
【補正方法】変更
【補正の内容】
【００３９】
前記変換手段が、前記ユーザ辞書に登録された単語データのうち、前記スコアが所定値以下である単語データの少なくとも一部を前記ユーザ辞書から削除するようにすることができる。
【手続補正３０】
【補正対象書類名】明細書
【補正対象項目名】００４０
【補正方法】変更
【補正の内容】
【００４０】
前記登録手段が、前記単語データ受信手段により受信された前記単語データのうち前記ユーザ辞書および前記標準辞書のいずれにも登録されていない単語データの少なくとも一部を前記ユーザ辞書に追加して登録するようにすることができる。
【手続補正３１】
【補正対象書類名】明細書
【補正対象項目名】００４１
【補正方法】変更
【補正の内容】
【００４１】
本発明の一側面の単語登録装置においては、受信された単語データのうち前記ユーザ辞書に登録されていない単語データの少なくとも一部がユーザ辞書に追加される。
【手続補正３２】
【補正対象書類名】明細書
【補正対象項目名】００４２
【補正方法】変更
【補正の内容】
【００４２】
本願発明の一側面の単語送信装置は、それぞれ変換前文字とこれに対応する変換後文字との組み合わせにより構成される複数の単語データを含む辞書と、前記辞書に含まれる単語データの少なくとも一部を送信する単語データ送信手段とを備える。
【手続補正３３】
【補正対象書類名】明細書
【補正対象項目名】００４３
【補正方法】変更
【補正の内容】
【００４３】
前記単語データ送信手段が、インターネット網を介して前記単語データを送信するようにすることができる。
【手続補正３４】
【補正対象書類名】明細書
【補正対象項目名】００４４
【補正方法】変更
【補正の内容】
【００４４】
前記単語データ送信手段が、放送により前記単語データを送信するようにすることができる。
【手続補正３５】
【補正対象書類名】明細書
【補正対象項目名】００４５
【補正方法】変更
【補正の内容】
【００４５】
ユーザの置かれている状況を示す環境イベントを受け、前記単語データ送信手段が、前記辞書に含まれる単語データのうち、前記環境イベントに基づき選択された単語データを、前記ユーザに送信するようにすることができる。
【手続補正３６】
【補正対象書類名】明細書
【補正対象項目名】００４６
【補正方法】変更
【補正の内容】
【００４６】
ユーザの個人情報を示すユーザ情報を受け、前記単語データ送信手段が、前記辞書に含まれる単語データのうち、前記ユーザ情報に基づき選択された単語データを、前記ユーザに送信するようにすることができる。
【手続補正３７】
【補正対象書類名】明細書
【補正対象項目名】００４７
【補正方法】変更
【補正の内容】
【００４７】
ユーザ側システムのシステム構成に関するシステム情報を受け、前記単語データ送信手段が、前記辞書に含まれる単語データのうち、前記システム情報に基づき選択された単語データを、前記ユーザに送信するようにすることができる。
【手続補正３８】
【補正対象書類名】明細書
【補正対象項目名】００４８
【補正方法】変更
【補正の内容】
【００４８】
ユーザによるアクセスを認証する認証手段をさらに備え、前記単語データ送信手段が、前記ユーザによるアクセスが認証されると、前記辞書に含まれる単語データのうち、前回のアクセスから現在のアクセスまでの間に更新された単語データの少なくとも一部を前記ユーザに送信するようにすることができる。
【手続補正３９】
【補正対象書類名】明細書
【補正対象項目名】００４９
【補正方法】変更
【補正の内容】
【００４９】
本願発明の一側面の単語送信装置においては、それぞれ変換前文字とこれに対応する変換後文字との組み合わせにより構成される複数の単語データを含む辞書が備えられ、辞書に含まれる単語データの少なくとも一部が送信される。
【手続補正４０】
【補正対象書類名】明細書
【補正対象項目名】００５０
【補正方法】変更
【補正の内容】
【００５０】
本発明の一側面の単語登録システムは、ユーザにより単語データの登録が可能なユーザ辞書と、単語データを送信する単語データ送信手段と、前記単語データ送信手段より送信された単語データを受信する単語データ受信手段と、前記単語データ受信手段により受信された前記単語データのうち前記ユーザ辞書に登録されていない単語データの少なくとも一部を前記ユーザ辞書に追加して登録する登録手段とを備える。
【手続補正４１】
【補正対象書類名】明細書
【補正対象項目名】００５１
【補正方法】変更
【補正の内容】
【００５１】
本発明の一側面の単語登録方法は、受信側システムから送信側システムに対して単語データの送信を要求するステップと、前記要求に応答して前記送信側システムに蓄積されている単語データの少なくとも一部を前記受信側システムに送信するステップと、前記送信側システムより送信された前記単語データの少なくとも一部を前記受信側システムに備えられた辞書に登録するステップとを有する。
【手続補正４２】
【補正対象書類名】明細書
【補正対象項目名】００５２
【補正方法】変更
【補正の内容】
【００５２】
本発明の一側面の単語登録方法においては、受信側システムから送信側システムに対して単語データの送信が要求され、要求に応答して送信側システムに蓄積されている単語データの少なくとも一部が受信側システムに送信され、送信側システムより送信された単語データの少なくとも一部が受信側システムに備えられている辞書に登録される。
【手続補正４３】
【補正対象書類名】明細書
【補正対象項目名】００５３
【補正方法】変更
【補正の内容】
【００５３】
本発明の一側面の単語登録方法は、放送側システムに蓄積されている単語データの少なくとも一部を受信側システムに対して放送するステップと、前記放送側システムより放送された前記単語データの少なくとも一部を前記受信側システムにて受信するステップと、前記受信した単語データをフィルタリングするステップと、前記フィルタリングされた単語データの少なくとも一部を前記受信側システムに備えられた辞書に登録するステップとを有する。
【手続補正４４】
【補正対象書類名】明細書
【補正対象項目名】００５４
【補正方法】変更
【補正の内容】
【００５４】
本発明の一側面の単語登録方法においては、放送側システムに蓄積されている単語データの少なくとも一部が受信側システムに対して放送され、放送側システムより放送された単語データの少なくとも一部が受信側システムで受信され、受信された単語データがフィルタリングされたあと、少なくとも一部が受信側システムに備えられた辞書に登録される。
【手続補正４５】
【補正対象書類名】明細書
【補正対象項目名】００５５
【補正方法】削除
【補正の内容】
【手続補正４６】
【補正対象書類名】明細書
【補正対象項目名】００５６
【補正方法】削除
【補正の内容】
【手続補正４７】
【補正対象書類名】明細書
【補正対象項目名】００５７
【補正方法】削除
【補正の内容】
【手続補正４８】
【補正対象書類名】明細書
【補正対象項目名】００５８
【補正方法】削除
【補正の内容】
【手続補正４９】
【補正対象書類名】明細書
【補正対象項目名】００５９
【補正方法】削除
【補正の内容】
【手続補正５０】
【補正対象書類名】明細書
【補正対象項目名】００６０
【補正方法】削除
【補正の内容】
【手続補正５１】
【補正対象書類名】明細書
【補正対象項目名】００６１
【補正方法】削除
【補正の内容】
【手続補正５２】
【補正対象書類名】明細書
【補正対象項目名】００６２
【補正方法】削除
【補正の内容】
【手続補正５３】
【補正対象書類名】明細書
【補正対象項目名】００６３
【補正方法】削除
【補正の内容】
【手続補正５４】
【補正対象書類名】明細書
【補正対象項目名】００６４
【補正方法】削除
【補正の内容】
【手続補正５５】
【補正対象書類名】明細書
【補正対象項目名】００６５
【補正方法】削除
【補正の内容】
【手続補正５６】
【補正対象書類名】明細書
【補正対象項目名】００６６
【補正方法】削除
【補正の内容】
【手続補正５７】
【補正対象書類名】明細書
【補正対象項目名】００６７
【補正方法】削除
【補正の内容】
【手続補正５８】
【補正対象書類名】明細書
【補正対象項目名】００６８
【補正方法】削除
【補正の内容】
【手続補正５９】
【補正対象書類名】明細書
【補正対象項目名】００６９
【補正方法】削除
【補正の内容】
【手続補正６０】
【補正対象書類名】明細書
【補正対象項目名】００７０
【補正方法】削除
【補正の内容】
【手続補正６１】
【補正対象書類名】明細書
【補正対象項目名】００７１
【補正方法】削除
【補正の内容】
【手続補正６２】
【補正対象書類名】明細書
【補正対象項目名】００７２
【補正方法】削除
【補正の内容】
【手続補正６３】
【補正対象書類名】明細書
【補正対象項目名】００７３
【補正方法】削除
【補正の内容】
【手続補正６４】
【補正対象書類名】明細書
【補正対象項目名】００７４
【補正方法】削除
【補正の内容】
【手続補正６５】
【補正対象書類名】明細書
【補正対象項目名】００７５
【補正方法】削除
【補正の内容】
【手続補正６６】
【補正対象書類名】明細書
【補正対象項目名】００７６
【補正方法】削除
【補正の内容】
【手続補正６７】
【補正対象書類名】明細書
【補正対象項目名】００７７
【補正方法】削除
【補正の内容】
【手続補正６８】
【補正対象書類名】明細書
【補正対象項目名】００７８
【補正方法】削除
【補正の内容】
【手続補正６９】
【補正対象書類名】明細書
【補正対象項目名】００７９
【補正方法】削除
【補正の内容】